(57)【要約】【課題】構成簡易化、低コスト化、高性能化を実現可能なマイクロ波・ミリ波帯の極短パルス発生装置を提供する。【解決手段】一対の軸対称な等傾斜角の先鋭部を具備する第１，第２導体パッチ２ａ，２ｂの各先鋭部を近接させ、高速変化信号発生部１を直に電気的接続して高速に変化する電圧を印加することで、第１，第２導体パッチ２ａ，２ｂが放射パルス形成回路と放射アンテナとを兼ねて機能させ、第１，第２導体パッチ２ａ，２ｂの両側方に対称軸と平行に配置した第１，第２導体壁３ａ，３ｂの間隔ａを、不要信号の波長λａの１／２未満に、第１，第２導体パッチ２ａ，２ｂの各端部から第１，第２導体壁３ａ，３ｂの各端部までの距離Ｌw1，Ｌw2および誘電体基板４の導体パッチ面から第１，第２導体壁３ａ，３ｂの突出端部までの距離Ｌw3を全てλａ／２以上にすることで、不要信号抑制手段を構成する。【選択図】図１
2010283500.tif 000002
【特許請求の範囲】
【請求項１】
一対の軸対称な等傾斜角の先鋭部を具備する導体パッチの先鋭部を近接させ、各軸対称な等傾斜角の先鋭部を具備する導体パッチの対称軸が共有されるように配置し、高速変化信号発生部を、前記先鋭部に直に電気的接続し、高速に変化する電圧を前記一対の近接させた先鋭部の端の間に印加するようにし、前記導体パッチは放射パルス形成回路と放射アンテナとを兼ねて機能し、前記導体パッチの等傾斜角で広がり角θの先鋭部に連なる幅Ｗの部分の長さをＤとし、一対の導体パッチの両端間の長さをＬとし、これらθ、Ｗ、Ｄ、Ｌおよび幅Ｗの部分の端部の形状を調整することにより、放射パルス信号のパルス波形形状、放射効率、放射パターン特性を調整可能とし、
前記各軸対称な等傾斜角の先鋭部を具備する導体パッチの両側方には、前記対称軸と平行で少なくともパルス放射方向に突出する導体壁を各々配置し、両導体壁の間隔をａとし、前記一対の導体パッチの各端部から前記導体壁の端部までの各距離および前記導体パッチの形成面から前記導体壁の突出端部までの距離をＬｗとし、放射パルス信号の波長より長い波長の不要信号の波長をλａとした場合、間隔ａをλａ／２未満とし、距離Ｌｗをλａ／２以上とすることで、不要信号抑制手段を構成したことを特徴とする極短パルス発生装置。
【請求項２】
前記高速変化信号発生部は、
前記一対の導体パッチのそれぞれに、前記放射パルス信号の通過を阻止するチョーク回路を接続し、一方の導体パッチの先鋭部の端にステップリカバリダイオードのアノードを接続し、他方の導体パッチの先鋭部の端にカソードを接続し、駆動信号の発生部を前記チョーク回路に接続し、そのチョーク回路を通して前記導体パッチに入力した駆動信号により、前記ステップリカバリダイオードに高速ステップ信号を発生させるようにしたことを特徴とする請求項１に記載の極短パルス発生装置。
【請求項３】
前記高速変化信号発生部は、
前記一対の導体パッチの一方の導体パッチの先鋭部の端に、差動出力型ステップ信号発生回路の差動出力の一方のノードを接続し、他方の導体パッチの先鋭部の端に、差動出力の他方のノードを接続し、前記差動出力型ステップ信号発生回路に駆動信号を供給することで高速ステップ信号を発生させるようにしたことを特徴とする請求項１に記載の極短パルス発生装置。
【請求項４】
前記高速変化信号発生部は、
前記一対の導体パッチの一方の導体パッチの先鋭部の端に、差動出力型パルス信号発生回路の差動出力の一方のノードを接続し、他方の導体パッチの先鋭部の端に、差動出力の他方のノードを接続し、前記差動出力型パルス信号発生回路に駆動信号を供給することで高速パルス信号を発生させるようにしたことを特徴とする請求項１に記載の極短パルス発生装置。
【請求項５】
前記高速変化信号発生部は、
前記一対の導体パッチの一方の導体パッチの先鋭部の端に、シングルエンド出力型ステップ信号発生回路の接地側ノードを接続し、他方の導体パッチの先鋭部の端に、信号側ノードを接続し、前記シングルエンド出力型ステップ信号発生部に駆動信号を供給することで高速ステップ信号を発生させるようにしたことを特徴とする請求項１に記載の極短パルス発生装置。
【請求項６】
前記高速変化信号発生部は、
前記一対の導体パッチの一方の導体パッチの先鋭部の端に、シングルエンド出力型パルス信号発生回路の接地側ノードを接続し、他方の導体パッチの先鋭部の端に、信号側ノードを接続し、前記シングルエンド出力型パルス信号発生部に駆動信号を供給することで高速パルス信号を発生させるようにしたことを特徴とする請求項１に記載の極短パルス発生装置。
【発明の詳細な説明】
【技術分野】
【０００１】
本発明は、超広帯域（ＵＷＢ：Ｕｌｔｒａ  ＷｉｄｅＢａｎｄ）の高周波パルス（極短パルス）信号を発生する極短パルス発生装置に関し、特に、複雑な回路構成を嫌うマイクロ波・ミリ波帯の装置において構成単純化、低コスト化、高性能化を実現する技術に関する。
【背景技術】
【０００２】
近年注目されている通信技術として、ＵＷＢ技術がある。この技術は、極めて広い周波数帯域を使うものの、電力スペクトル密度が非常に小さいため、すでに使用されている周波数を共用することができる利点がある。また、数百ピコ秒以下の短いパルスを使うことで、高分解能な位置検出などを行うことができる利点などがある。
【０００３】
従来のマイクロ波・ミリ波帯ＵＷＢ技術における高周波パルス信号発生装置は、高周波パルス信号発生器と超広帯域アンテナとを伝送線路にて接続した構成となっている（例えば、非特許文献１，非特許文献２，特許文献１を参照）。
【０００４】
これら非特許文献１、非特許文献２、あるいは特許文献１に記載された高周波パルス信号発生器としては、高速に振幅が変化する信号（ベースバンド信号に応じて発生させるモノパルス信号やステップ信号等の高速変化信号）の周波数成分のある部分のみを超広帯域フィルタ回路によって通過させ、その通過した信号を無線信号として放射することで高周波パルス信号（放射パルス信号）とする方法、または、ＣＷ信号発振回路の出力を高速ＲＦスイッチにて通過／阻止させるような変調を行う方法、または、それらの組み合わせで構成されている。
【０００５】
一方、伝送線路や共振回路をアンテナで代用した高周波パルス信号発生装置が特許文献２、特許文献３に開示されている。特許文献２に開示されているアンテナの構造例は、電気長λg／２のマイクロストリップライン型の伝送線路の構造をしたパッチアンテナとなっている。特許文献３にはアンテナの具体的構造は開示されてない。特許文献２、特許文献３に開示されている高周波パルス信号発生装置は、伝送線路や共振回路であるアンテナに電荷を充電し、高速のスイッチ等を用いてその電荷を急速に放電させる方式である。この急速な放電により発生する高周波成分のうち、共振回路であるアンテナの共振周波数帯の周波数成分が放射される。
【先行技術文献】
【非特許文献】
【０００６】
【非特許文献１】Ｙｕｎ  Ｈｗａ  ｃｈｏｉ，  “Ｇａｔｅｄ  ＵＷＢ  Ｐｕｌｓｅ  Ｓｉｇｎａｌ．  Ｇｅｎｅｒａｔｉｏｎ，”  Ｊｏｉｎｔ  ｗｉｔｈ  Ｃｏｎｆｅｒｅｎｃｅ  ｏｎ  Ｕｌｔｒａ  ｗｉｄｅｂａｎｄ．  Ｓｙｓｔｅｍｓ  ａｎｄ  Ｔｅｃｈｎｏｌｏｇｉｅｓ  Ｊｏｉｎｔ  ＵＷＢＳＴ  ＆  ＩＷＵＷＢＳ．  ２００４  Ｉｎｔｅｒｎａｔｉｏｎａｌ  Ｗｏｒｋｓｈｏｐ  ｏｎ，  ｐｐ．１２２−１２４
【非特許文献２】Ｉａｎ  Ｇｒｅｓｈａｍ，  “Ｕｌｔｒａ−Ｗｉｄｅｂａｎｄ  Ｒａｄａｒ  Ｓｅｎｓｏｒｓ  ｆｏｒ  Ｓｈｏｒｔ−Ｒａｎｇｅ  Ｖｅｈｉｃｕｌａｒ  Ａｐｐｌｉｃａｔｉｏｎｓ”，  ＭＴＴ  ＶＯＬ．５２，  Ｎｏ．９，  ｐｐ．２１１１−２１１３，  Ｓｅｐ．  ２００４
【特許文献】
【０００７】
【特許文献１】特表２００３−５１５９７４号公報
【特許文献２】特開２００４−１８６７２６号公報
【特許文献３】特開２００７−１２４６２８号公報
【発明の概要】
【発明が解決しようとする課題】
【０００８】
しかしながら、上記非特許文献１、非特許文献２、特許文献１に記載された発明では、高周波パルス信号発生器と超広帯域アンテナとを伝送線路にて接続した構成であるため、伝送線路の伝送損失が問題になることに加えて、複雑な回路構成を嫌うマイクロ波ミリ波帯の装置にとって望ましい構成ではない。
【０００９】
また、上記非特許文献１、非特許文献２、特許文献１に記載されている発明の装置構成では、装置内部のフィルタや増幅器やＲＦスイッチなど種々の回路それぞれに超広帯域特性が求められる。例えば、パルス信号やステップ信号などの高速変化信号の発生回路とフィルタ回路を伝送線路で接続する場合、それぞれの回路の入出力反射係数や接続部の反射係数が広帯域にわたって十分小さくないと、それぞれの回路間で多重反射が生じてしまう。さらに、それぞれの回路の郡遅延特性が広帯域にわたって平坦でないと、パルス波形に歪が生じてしまう。よって、このような超広帯域回路設計は、狭帯域回路設計に比べて困難であり、個々の回路全てに超広帯域特性が求められるような装置は高コストになってしまい、高品質な高周波パルス信号を得ることも難しい。
【００１０】
また、特許文献２に記載された発明のマイクロストリップライン型の伝送線路のパッチアンテナでは、非常に広い帯域わたり高効率に高周波パルス信号を放射するためには、マイクロストリップラインを構成する基板の厚さを大きくする必要があり、接地導体部とストリップ導体部との距離が大きくなり、スイッチなどの他の回路との接続の整合性を考えると、広帯域にわたる高性能の実現に難がある。
【００１１】
また、特許文献２、特許文献３に記載された発明では、放射させる所望の高周波パルス信号以外の、不要信号の放射を防止する構造が無い。近年の伝送情報の大容量化・高速化により、高速変化信号の発生部に高速変化信号発生タイミングを与えて駆動させるための駆動信号が高速化・高周波化しており、この駆動信号自体の周波数成分などの不要信号の発生放射の問題が生じ、簡易な装置構成の実現を困難にしている。この駆動信号の高速化・高周波化により、駆動信号自体の周波数成分が、無線信号として放射する高周波パルス信号（放射パルス信号）の周波数に近づきつつあり、特許文献２、特許文献３に記載された様な、伝送線路や共振回路をアンテナで代用した高周波パルス信号発生装置においては、本来放射させたくない駆動信号の周波数成分などの、放射パルス信号より低い周波数の不要信号が、アンテナ素子やパルス発生回路等から漏洩し、放射されてしまうという不都合が生じ易くなっている。
【００１２】
このような不要周波数成分の放射という不都合を解決するために、例えばパッチアンテナ等のアンテナ素子の形状設計によって、放射パルス信号より低い周波数成分の放射を十分に抑えようとすると、一般にアンテナ素子の放射周波数特性が狭帯域化する傾向にあり、近年の伝送情報の大容量化・高速化に対応し難い。なお、ハイパスフィルタ回路をアンテナ素子の放射面側に追加して不要周波数成分の放射を抑制する方法も考えられるが、広帯域にわたり偏波面を乱さず、不要な交差偏波成分を生じさせることなく、放射信号より低い周波数成分の放射を抑える構造を簡易に実現するのは困難である。
【００１３】
そこで、本発明は、構成簡易化、低コスト化、高性能化を実現可能なマイクロ波・ミリ波帯の極短パルス発生装置の提供を目的とする。
【課題を解決するための手段】
【００１４】
前記課題を解決するために、請求項１に係る極短パルス発生装置は、一対の軸対称な等傾斜角の先鋭部を具備する導体パッチの先鋭部を近接させ、各軸対称な等傾斜角の先鋭部を具備する導体パッチの対称軸が共有されるように配置し、高速変化信号発生部を、前記先鋭部に直に電気的接続し、高速に変化する電圧を前記一対の近接させた先鋭部の端の間に印加するようにし、前記導体パッチは放射パルス形成回路と放射アンテナとを兼ねて機能し、前記導体パッチの等傾斜角で広がり角θの先鋭部に連なる幅Ｗの部分の長さをＤとし、一対の導体パッチの両端間の長さをＬとし、これらθ、Ｗ、Ｄ、Ｌおよび幅Ｗの部分の端部の形状を調整することにより、放射パルス信号のパルス波形形状、放射効率、放射パターン特性を調整可能とし、前記各軸対称な等傾斜角の先鋭部を具備する導体パッチの両側方には、前記対称軸と平行で少なくともパルス放射方向に突出する導体壁を各々配置し、両導体壁の間隔をａとし、前記一対の導体パッチの各端部から前記導体壁の端部までの各距離および前記導体パッチの形成面から前記導体壁の突出端部までの距離をＬｗとし、放射パルス信号の波長より長い波長の不要信号の波長をλａとした場合、間隔ａをλａ／２未満とし、距離Ｌｗをλａ／２以上とすることで、不要信号抑制手段を構成したことを特徴とする。
【００１５】
また、請求項２に係る発明は、請求項１に記載の極短パルス発生装置において、前記高速変化信号発生部は、前記一対の導体パッチのそれぞれに、前記放射パルス信号の通過を阻止するチョーク回路を接続し、一方の導体パッチの先鋭部の端にステップリカバリダイオードのアノードを接続し、他方の導体パッチの先鋭部の端にカソードを接続し、駆動信号の発生部を前記チョーク回路に接続し、そのチョーク回路を通して前記導体パッチに入力した駆動信号により、前記ステップリカバリダイオードに高速ステップ信号を発生させるようにしたことを特徴とする。
【００１６】
また、請求項３に係る発明は、請求項１に記載の極短パルス発生装置において、前記高速変化信号発生部は、前記一対の導体パッチの一方の導体パッチの先鋭部の端に、差動出力型ステップ信号発生回路の差動出力の一方のノードを接続し、他方の導体パッチの先鋭部の端に、差動出力の他方のノードを接続し、前記差動出力型ステップ信号発生回路に駆動信号を供給することで高速ステップ信号を発生させるようにしたことを特徴とする。
【００１７】
また、請求項４に係る発明は、請求項１に記載の極短パルス発生装置において、前記高速変化信号発生部は、前記一対の導体パッチの一方の導体パッチの先鋭部の端に、差動出力型パルス信号発生回路の差動出力の一方のノードを接続し、他方の導体パッチの先鋭部の端に、差動出力の他方のノードを接続し、前記差動出力型パルス信号発生回路に駆動信号を供給することで高速パルス信号を発生させるようにしたことを特徴とする。
【００１８】
また、請求項５に係る発明は、請求項１に記載の極短パルス発生装置において、前記高速変化信号発生部は、前記一対の導体パッチの一方の導体パッチの先鋭部の端に、シングルエンド出力型ステップ信号発生回路の接地側ノードを接続し、他方の導体パッチの先鋭部の端に、信号側ノードを接続し、前記シングルエンド出力型ステップ信号発生部に駆動信号を供給することで高速ステップ信号を発生させるようにしたことを特徴とする。
【００１９】
また、請求項６に係る発明は、請求項１に記載の極短パルス発生装置において、前記高速変化信号発生部は、前記一対の導体パッチの一方の導体パッチの先鋭部の端に、シングルエンド出力型パルス信号発生回路の接地側ノードを接続し、他方の導体パッチの先鋭部の端に、信号側ノードを接続し、前記シングルエンド出力型パルス信号発生部に駆動信号を供給することで高速パルス信号を発生させるようにしたことを特徴とする。
【発明の効果】
【００２０】
請求項１に係る発明によれば、一対の軸対称な等傾斜角の先鋭部を具備する導体パッチの先鋭部を近接させ、各軸対称な等傾斜角の先鋭部を具備する導体パッチの対称軸が共有されるように配置し、高速変化信号発生部を、前記先鋭部に直に電気的接続し、高速に変化する電圧を前記一対の近接させた先鋭部の端の間に印加するようにし、前記導体パッチは放射パルス形成回路と放射アンテナとを兼ねて機能し、前記導体パッチの等傾斜角で広がり角θの先鋭部に連なる幅Ｗの部分の長さをＤとし、一対の導体パッチの両端間の長さをＬとし、これらθ、Ｗ、Ｄ、Ｌおよび幅Ｗの部分の端部の形状を調整することにより、放射パルス信号のパルス波形形状、放射効率、放射パターン特性を調整可能とし、前記各軸対称な等傾斜角の先鋭部を具備する導体パッチの両側方には、前記対称軸と平行で少なくともパルス放射方向に突出する導体壁を各々配置し、両導体壁の間隔をａとし、前記一対の導体パッチの各端部から前記導体壁の端部までの各距離および前記導体パッチの形成面から前記導体壁の突出端部までの距離をＬｗとし、放射パルス信号の波長より長い波長の不要信号の波長をλａとした場合、間隔ａをλａ／２未満とし、距離Ｌｗをλａ／２以上とすることで、不要信号抑制手段を構成したので、高速変化信号発生部と空間との結合を広帯域にわたり実現し、広帯域の高周波パルス信号のパルス波形を形成すると同時に放射するので伝送損失がなく、広帯域にわたり不要な交差偏波成分が生じ難く、放射パルス信号より低い周波数の、駆動信号の周波数成分などの不要信号の放射を抑える構造を少ない構成要素にて実現でき、高品質な高周波パルス信号の発生放射を簡易な構成にて行える。
【００２１】
また、超広帯域のフィルタや整合回路やアンテナを別途考える必要が無く、構造が単純であり、設計が簡易であり、小型集積化、低コスト化が容易である。この簡易で単純な構造という特徴は、特性のばらつきを抑制し、製造上の高い歩留まりを確保する上で有利であり、高信頼性を確保する上でも有利である。特に、精密で微細な薄膜加工技術を必要とするミリ波帯装置の製造においては、装置が単純構造であることが品質管理上非常に有利となる。
【００２２】
以上の利点により、請求項１に係る極短パルス発生装置は、同機能の装置を従来技術で構成した場合に比べ、簡易構造、高性能、低コストを効果的に実現できる。
【００２３】
また、請求項２に係る発明によれば、前記高速変化信号発生部は、前記一対の導体パッチのそれぞれに、前記放射パルス信号の通過を阻止するチョーク回路を接続し、一方の導体パッチの先鋭部の端にステップリカバリダイオードのアノードを接続し、他方の導体パッチの先鋭部の端にカソードを接続し、駆動信号の発生部を前記チョーク回路に接続し、そのチョーク回路を通して前記導体パッチに入力した駆動信号により、前記ステップリカバリダイオードに高速ステップ信号を発生させるようにしたので、比較的簡易に極短パルス発生装置を実現できる。
【００２４】
また、請求項３に係る発明によれば、前記高速変化信号発生部は、前記一対の導体パッチの一方の導体パッチの先鋭部の端に、差動出力型ステップ信号発生回路の差動出力の一方のノードを接続し、他方の導体パッチの先鋭部の端に、差動出力の他方のノードを接続し、前記差動出力型ステップ信号発生回路に駆動信号を供給することで高速ステップ信号を発生させるようにしたので、比較的簡易に極短パルス発生装置を実現できる。
【００２５】
また、請求項４に係る発明によれば、前記高速変化信号発生部は、前記一対の導体パッチの一方の導体パッチの先鋭部の端に、差動出力型パルス信号発生回路の差動出力の一方のノードを接続し、他方の導体パッチの先鋭部の端に、差動出力の他方のノードを接続し、前記差動出力型パルス信号発生回路に駆動信号を供給することで高速パルス信号を発生させるようにしたので、比較的簡易に極短パルス発生装置を実現できる。
【００２６】
また、請求項５に係る発明によれば、前記高速変化信号発生部は、前記一対の導体パッチの一方の導体パッチの先鋭部の端に、シングルエンド出力型ステップ信号発生回路の接地側ノードを接続し、他方の導体パッチの先鋭部の端に、信号側ノードを接続し、前記シングルエンド出力型ステップ信号発生部に駆動信号を供給することで高速ステップ信号を発生させるようにしたので、比較的簡易に極短パルス発生装置を実現できる。
【００２７】
また、請求項６に係る発明によれば、前記高速変化信号発生部は、前記一対の導体パッチの一方の導体パッチの先鋭部の端に、シングルエンド出力型パルス信号発生回路の接地側ノードを接続し、他方の導体パッチの先鋭部の端に、信号側ノードを接続し、前記シングルエンド出力型パルス信号発生部に駆動信号を供給することで高速パルス信号を発生させるようにしたので、比較的簡易に極短パルス発生装置を実現できる。
【図面の簡単な説明】
【００２８】
【図１】本発明に係る極短パルス発生装置の実施形態を示す模式図である。
【図２】極短パルス発生装置における導体パッチ部の説明図である。
【図３】高速変化信号発生部の第１構成例を示す概略構成図である。
【図４】高速変化信号発生部の第２構成例を示す概略構成図である。
【図５】高速変化信号発生部の第３構成例を示す概略構成図である。
【発明を実施するための形態】
【００２９】
次に、添付図面に基づいて、本発明に係る極短パルス発生装置の実施形態につき説明する。
【００３０】
図１は、本発明に係る極短パルス発生装置の実施形態を示すもので、図１（ａ）は極短パルス発生装置の平面図、図１（ｂ）は極短パルス発生装置の側面図である。
【００３１】
この極短パルス発生装置は、一対の軸対称な等傾斜角の先鋭部を具備する第１導体パッチ２ａおよび第２導体パッチ２ｂの各先鋭部を近接させ、第１導体パッチ２ａおよび第２導体パッチ２ｂの対称軸（図１においては、一点鎖線で示す）が共有されるように配置し、高速変化信号発生部１を、第１，第２導体パッチ２ａ，２ｂの各先鋭部に直に電気的接続し、高速に変化する電圧を第１，第２導体パッチ２ａ，２ｂの両先鋭部の端の間に印加するようにし、これら第１，第２導体パッチ２ａ，２ｂが放射パルス形成回路と放射アンテナとを兼ねて機能し、第１，第２導体パッチ２ａ，２ｂの両側方には、対称軸と平行で少なくともパルス放射方向に突出する第１導体壁３ａおよび第２導体壁３ｂを各々配置し、第１，第２導体壁３ａ，３ｂの間隔をａ（対称軸からａ／２ずつ離隔した状態）とし、第１導体パッチ２ａの端部（先鋭部を形成していない側）から第１，第２導体壁３ａ，３ｂの端部（第１パッチ２ａ配置側の端部）までの距離をＬw1とし、第２導体パッチ２ｂの端部（先鋭部を形成していない側）から第１，第２導体壁３ａ，３ｂの端部（第２パッチ２ｂ配置側の端部）までの距離をＬw2とし、導体パッチの形成面（第１，第２導体パッチ２ａ，２ｂがパターニングされた誘電体基板４の導体パッチ面）から第１，第２導体壁３ａ，３ｂの突出端部までの距離をＬw3とし、放射パルス信号の波長より長い波長（放射パルス信号より低い周波数）の不要信号の波長をλａとした場合、間隔ａをλａ／２未満とし、距離Ｌw1，Ｌw2，Ｌw3を全てλａ／２以上とすることで、不要信号抑制手段を構成したものである。なお、不要信号抑制手段を構成するに際して、距離Ｌw1，Ｌw2，Ｌw3は全て同じ寸法に設定しても良いし、各々異なる寸法としても構わない。
【００３２】
ここで、放射パルス形成回路と放射アンテナとを兼ねる第１，第２導体パッチ２ａ，２ｂと高速変化信号発生部１について、図２を用いて説明する。第１，第２導体パッチ２ａ，２ｂの等傾斜角で広がり角θの先鋭部に連なる幅Ｗの部分の長さをＤとし、第１，第２導体パッチ２ａ，２ｂの両端間の長さをＬとし、これらθ、Ｗ、Ｄ、Ｌおよび幅Ｗの部分の端部の形状を調整することにより、無線信号として放射する高周波パルス信号（放射パルス信号）のパルス波形形状、放射効率、放射パターン特性を調整することができる。なお、誘電体基板４の導体パッチ面と対する面には導体層５を設けてあるので、誘電体基板４の導体パッチ面側がパルス放射方向となる。
【００３３】
上記のように構成した極短パルス発生装置の動作を説明する。高速変化信号発生部１から発生されるステップ波形信号やモノパルス波形信号、バーストパルス波形信号などの高速に振幅が変化する信号は、第１，第２導体パッチ２ａ，２ｂの先鋭部の端の間に印加される。第１，第２導体パッチ２ａ，２ｂは、放射パルス形成回路と放射アンテナとを兼ねて機能しており、高速変化信号発生部１から発生した高速に振幅が変化する信号により、無線信号として放射される高周波パルス信号（放射パルス信号）として波形形成され、導体パッチ面より空間に放射される。
【００３４】
一対の軸対称な等傾斜角の先鋭部を具備する第１，第２導体パッチ２ａ，２ｂの先鋭部を近接させ、第１，第２導体パッチ２ａ，２ｂの対称軸が共有されるように配置したことで、より広帯域の周波数成分をもつ信号波形の形成が行われ、広帯域にわたり不要な交差偏波成分が生じ難く、広帯域にわたり効率よく放射される。
【００３５】
そして、第１，第２導体パッチ２ａ，２ｂの対称軸の両側に、対称軸と平行な第１，第２導体壁３ａ，３ｂを各々配置して、不要信号抑制手段を構成したので、放射パルス信号の周波数よりも低い周波数の不要信号（高速変化信号発生部１における駆動信号の周波数成分など）は放射が妨げられ、不要な交差偏波成分の発生を最小に抑えることができる。なお、第１，第２導体壁２ａ，２ｂと第１，第２導体パッチ２ａ，２ｂの対称軸との平行度が悪くなると、不要な交差偏波成分も増えてしまい、放射パルス信号が低品質となるので、不要信号抑制手段の構成には注意が必要である。
【００３６】
このように、本実施形態に係る極短パルス発生装置は、高速変化信号発生部と空間との結合を広帯域にわたり実現し、広帯域の高周波パルス信号のパルス波形を形成すると同時に放射するので伝送損失がなく、広帯域にわたり不要な交差偏波成分が生じ難く、放射パルス信号より低い周波数の不要信号の放射を十分抑える構造を少ない構成要素にて実現でき、高品質な高周波パルス信号の発生放射を簡易な構成にて行える。
【００３７】
また、超広帯域のフィルタや整合回路やアンテナを別途考える必要が無く、構造が単純であり、設計が簡易であり、小型集積化、低コスト化が容易である。この単純構造という特徴は、特性のばらつきを抑制し、製造上の高い歩留まりを確保する上で有利であり、高信頼性を確保する上でも有利である。特に、精密で微細な薄膜加工技術を必要とするミリ波帯装置の製造においては、装置が単純構造であることが品質管理上非常に有利となる。
【００３８】
以上の利点により、本実施形態に係る極短パルス発生装置は、同機能の装置を従来技術で構成した場合に比べ、単純構造、高性能、低コストを効果的に実現できる。
【００３９】
なお、本実施形態の極短パルス発生装置においては、金属板（或いは金属ブロック）に断面コ字状の溝をエンドミル等で切削加工することで、第１，第２導体壁３ａ，３ｂと、誘電体基板４の導体パッチ面と対する面に設ける導電層５を一体に形成することができ、これを極短パルス発生装置の筐体やパッケージの一部を兼ねる構造とすれば、少ない要素にて装置を構成できる利点がある。例えば、第１，第２導体壁３ａ，３ｂおよび導電層５以外の空間に開いている部分をプラスチック等の誘電体壁で閉じた構造にし、第１，第２導体パッチ２ａ，２ｂと高速変化信号発生部１を気密封止することで、少ない要素にて装置を構成しつつも性能の維持をより確保できる。
【００４０】
次に、極短パルス発生装置における高速変化信号発生部１の具体的な構成例を示す。
【００４１】
図３に示す高速変化信号発生部１０は、高速変化信号発生部の第１構成例であり、ステップリカバリダイオード１１を用いて高速変化信号発生機能を実現したものである。第１，第２導体パッチ２ａ，２ｂのそれぞれに、放射パルス信号の通過を阻止するチョーク回路１２を各々接続し、例えば、第２導体パッチ２ｂの先鋭部の端にステップリカバリダイオード１１のアノードを接続し、第１導体パッチ２ａの先鋭部の端にステップリカバリダイオード１１のカソードを接続し、駆動信号の発生部１３をチョーク回路１２に接続し、そのチョーク回路１２を通して第１，第２導体パッチ２ａ，２ｂに入力した駆動信号により、ステップリカバリダイオード１０に高速ステップ信号を発生させ、それを高速変化信号として用いているのである。なお、チョーク回路１２は、第１，第２導体パッチ２ａ，２ｂから駆動信号発生部１３の方向へ、無線信号として放射する高周波パルス信号のエネルギーが漏洩してしまうのを防ぐチョークで、チョーク回路１２は、コイルや１／４波長分布定数回路などにより構成できる。
【００４２】
本構成例の高速変化信号発生部１０は、ステップリカバリダイオード１１を用いることで、チョーク回路１２を適宜設ける必要はあるものの、駆動信号発生部１３以外には、別途電源等のエネルギーの供給をせずに動作させることができ、比較的簡易に極短パルス発生装置を構成できる。
【００４３】
図４に示す高速変化信号発生部２０は、高速変化信号発生部の第２構成例であり、差動出力型ステップ信号発生回路２１を用いて高速変化信号発生機能を実現したものである。第１，第２導体パッチ２ａ，２ｂの各先鋭部の端に、差動出力型ステップ信号発生回路２１の差動出力の一方のノードと他方のノードを各々接続し、差動出力型ステップ信号発生回路２１に駆動信号の発生部２２を電気的に接続する。
【００４４】
なお、図４においては、差動出力型ステップ信号発生回路２１の電源は図示を省略している。また、差動出力型ステップ信号発生回路２１は、誘電体基板４のパッチ面上に構成して、第１，第２導体パッチ２ａ，２ｂと接続されるようにする。この差動出力型ステップ信号発生回路２１は、インバータやスイッチ、パワーアンプ等や、その組み合わせにより構成され、ＣＭＯＳやＧａＡｓなどの小型の集積回路で実現できる。また、高速信号発生部２０の差動出力型ステップ信号発生回路２１に代えて、差動出力型パルス信号発生回路を用いても良い。
【００４５】
高速変化信号発生部２０の差動出力型ステップ信号発生回路２１や差動出力型パルス信号発生回路から発生する信号波形がステップ波形信号やモノパルス波形信号の場合、放射される高周波パルス信号の振動数は、基本的に第１，第２導体パッチ２ａ，２ｂにより波形形成されることで決まるが、差動出力型パルス信号発生回路の内部で任意の振動数のバーストパルス波形信号を発生させてもよい。例えば、差動出力型パルス信号発生回路の内部で任意の振動数のバーストパルス波形信号を発生させ、その振動数のバーストパルス波形信号が、その波形のまま効率よく放射されるように第１，第２導体パッチ２ａ，２ｂの形状と寸法を調整した場合、第１，第２導体パッチ２ａ，２ｂの機能としては、振動数を決定する波形形成機能よりも、空間と差動出力型パルス信号発生回路とのインピーダンス整合機能が優勢となる。
【００４６】
本構成例の差動出力型ステップ信号発生回路２１（或いは、差動出力型パルス信号発生回路）では、高速変化信号発生部２０の高速変化信号発生機能が差動出力型であることから、バラン回路を設けることなく、高速変化信号発生部２０と第１，第２導体パッチ２ａ，２ｂとを直に接続でき、比較的簡易に極短パルス発生装置を構成できる。
【００４７】
図５に示す高速変化信号発生部３０は、高速変化信号発生部の第３構成例であり、シングルエンド出力型ステップ信号発生回路３１を用いて高速変化信号発生機能を実現したものである。第１，第２導体パッチ２ａ，２ｂの一方の先鋭部の端にシングルエンド出力型ステップ信号発生回３１の接地側ノードを、他方の先鋭部の端にシングルエンド出力型ステップ信号発生回３１の信号側ノードを接続し、第１導体パッチ２ａの先鋭部と駆動信号発生部３３との間にチョーク回路３２を挿入してある。
【００４８】
なお、図５においては、シングルエンド出力型ステップ信号発生回路３１の電源は図示を省略している。また、シングルエンド出力型ステップ信号発生回路３１は、片面に信号側ノードが、他面に接地導体面の集積回路チップがあり、この集積回路チップの接地導体面がシングルエンド出力の接地側ノードである。本構成例では、第１導体パッチ２ａの先鋭部の端の導体上にシングルエンド出力型ステップ信号発生回路３１を搭載し、その接地導体面と第１導体パッチ２ａが導電性接着剤や半田などにより電気的に接続された状態となるように固定した。さらに、駆動信号発生部３３の一方のノードは、チョーク回路３２を介してシングルエンド出力型ステップ信号発生回路３１の接地側ノードに電気的に接続され、他方のノードは、シングルエンド出力型ステップ信号発生回路３１の駆動信号入力ノードに電気的に接続されている。チョーク回路３２は、第１，第２導体パッチ２ａ，２ｂから駆動信号発生部３３の方向へ、無線信号として放射する高周波パルス信号のエネルギーが漏洩してしまうのを防ぐチョークであり、コイルや１／４波長分布定数回路などにより構成できる。
【００４９】
このシングルエンド出力型ステップ信号発生回路３１は、インバータやスイッチ、パワーアンプ等や、その組み合わせにより構成され、ＣＭＯＳやＧａＡｓなどの小型の集積回路で実現できる。また、高速信号発生部２０のシングルエンド出力型ステップ信号発生回路３１に代えて、シングルエンド出力型パルス信号発生回路を用いても良い。
【００５０】
高速変化信号発生部３０のシングルエンド出力型ステップ信号発生回路３１やシングルエンド出力型パルス信号発生回路から発生する信号波形がステップ波形信号やモノパルス波形信号の場合、放射される高周波パルス信号の振動数は、基本的に第１，第２導体パッチ２ａ，２ｂにより波形形成されることで決まるが、シングルエンド出力型パルス信号発生回路の内部で任意の振動数のバーストパルス波形信号を発生させてもよい。例えば、シングルエンド出力型パルス信号発生回路の内部で任意の振動数のバーストパルス波形信号を発生させ、その振動数のバーストパルス波形信号が、その波形のまま効率よく放射されるように第１，第２導体パッチ２ａ，２ｂの形状と寸法を調整した場合、第１，第２導体パッチ２ａ，２ｂの機能としては、振動数を決定する波形形成機能よりも、空間とシングルエンド出力型パルス信号発生回路とのインピーダンス整合機能が優勢となる。
【００５１】
図５に示す高速変化信号発生部３０では、第１導体パッチ２ａの先鋭部の端の導体上に、シングルエンド出力型ステップ信号発生回路３１（或いはシングルエンド出力型パルス信号発生回路）を搭載接続しているので、バラン回路が必要なく、別途にシングルエンド出力型ステップ信号発生回路３１（或いはシングルエンド出力型パルス信号発生回路）を搭載固定する領域を設けなくてもよく、その領域を設けることによる導体パッチ全体の不連続性が小さくて済み、また、第１導体パッチ２ａの先鋭部の端と第２導体パッチ２ｂの先鋭部の端とを任意に接近させることができるため、より高い周波数まで交差偏波成分の発生が起こり難く、簡易な構造でありながら広帯域にわたり高品質な高周波パルス信号の発生放射を実現でき、比較的簡易に極短パルス発生装置を構成できる。
【００５２】
なお、シングルエンド出力型ステップ信号発生回路３１（或いはシングルエンド出力型パルス信号発生回路）が、片面に信号側ノードと接地側ノードを併せ持つ集積回路チップで、集積回路チップの駆動信号入力部が接地側ノードと高周波的に分離されている場合は、上述した第３構成例のように第１導体パッチ２ａを介して駆動信号を供給せずに、駆動信号発生部３３から信号側ノードと接地側ノードに駆動信号を直接供給することで、チョーク回路３２は不要となる。
【００５３】
以上、本発明に係る極短パルス発生装置を幾つかの実施形態に基づき説明したが、本発明は、これらの実施形態のみに限定されるものではなく、特許請求の範囲に記載の構成を変更しない限りにおいて実現可能な全ての極短パルス発生装置を権利範囲として包摂するものである。
【００５４】
上述した特徴的効果を奏する本発明の極短パルス発生装置は、ＵＷＢ通信システム、ＵＷＢ車載センサ（レーダ）システム、防犯・医療・看護等のためのＵＷＢ電波モニターシステム、ＵＷＢアクティブイメージングアレーなどにおける無線送信機の出力部として用いると、上記利点を生かすことができる。特に、部品コストが高く、伝送損失の増加やデバイス性能により低電力効率になるミリ波帯のシステムにおいて大きな優位性が見込まれる。
【００５５】
前記ＵＷＢ通信システムシステムは、家庭やオフィス環境でのＰＣや周辺機器、ＡＶ機器、携帯端末などに本発明に係る極短パルス発生装置を用いたインパルス型ＵＷＢ送受信機を搭載し、それぞれの機器間のデータ通信を行うシステムである。本システムは、従来のＵＷＢ送受信機を用いたシステムに比べ、低コストにて機器間のケーブルレス化を行うことができる。
【００５６】
前記車載センサシステムは、車体の前後左右に本発明に係る極短パルス発生装置を用いたＵＷＢセンサ装置を複数搭載し、それぞれ適当な変調動作をさせるなどし、その複数のＵＷＢセンサ装置の中の任意の装置から得た検知信号の位相情報や遅延時間差などを総合的に信号処理、信号解析し、自動制御や運転者への通知などを行うシステムである。これは、単独のセンサ装置を用いた場合に比べ、多角的で正確なセンシングや高解像度センシングが可能であり、また、モーターなどにより機械的にセンサの方角を振る必要が無く、電気的に高速に目標物の方角を特定することも可能である。特に、本発明に係る極短パルス発生装置で構成したＵＷＢセンサ装置は簡易構造であり低コストで提供できるので、多数のセンサ装置を用いた高度な衝突防止等の安全走行機能、車庫入れ時の運転補助機能、車体周囲の死角に起因する事故防止機能などを有する車載センサシステムを普及価格帯にて実現できる。
【００５７】
前記防犯・医療・看護等のための電波モニターシステムは、住宅の周囲の多数箇所に本発明に係る極短パルス発生装置で構成したＵＷＢセンサ装置を設置し、それぞれの箇所のセンサ装置から得る検知信号から不審な侵入者の存在や場所、移動経路などの情報を警告するシステム、或いは病院内の多数の患者用ベッド上天井部に本発明に係る極短パルス発生装置で構成したＵＷＢセンサ装置をそれぞれ設置してネットワークを構成し、それぞれの患者の存在、呼吸の様子などをモニターし、異常時に警告するシステムなどである。このような多数のセンサ装置を用いるシステムの構築には、単体のセンサ装置が低コストであることが重要であり、本発明の極短パルス発生装置で構成したＵＷＢセンサ装置が有利である。
【００５８】
前記アクティブイメージングアレーは、本発明に係る極短パルス発生装置で構成したＵＷＢセンサ装置をＮ行Ｍ列のマトリックス状に多数配置して、マトリックス制御により任意のＵＷＢセンサ装置あるいは全てのＵＷＢセンサ装置を動作・スキャンさせ、それぞれのＵＷＢセンサ装置より取得した検知信号を総合的に信号処理、信号解析することで、被測定物の形状や形状変動などのイメージングを行うものである。このような多数のセンサ装置を用いるシステムの構築には、単体のセンサ装置が低コストであることが重要であり、本発明の極短パルス発生装置で構成したＵＷＢセンサ装置が有利である。
【符号の説明】
【００５９】
１    高速変化信号発生部
２ａ  第１導体パッチ
２ｂ  第２導体パッチ
３ａ  第１導体壁
３ｂ  第２導体壁
４    誘電体基板
５    導体層
１０  高速変化信号発生部（第１構成例）
１１  ステップリカバリダイオード
１２  チョーク回路
１３  駆動信号発生部
２０  高速変化信号発生部（第２構成例）
２１  差動出力型ステップ信号発生回路（或いは差動出力型パルス信号発生回路）
２２  駆動信号発生部
３０  高速変化信号発生部（第３構成例）
３１  シングルエンド出力型ステップ信号発生回路（或いはシングルエンド出力型パルス信号発生回路）
３２  チョーク回路
３３  駆動信号発生部
【図１】
2010283500.tif 000003
【図２】
2010283500.tif 000004
【図３】
2010283500.tif 000005
【図４】
2010283500.tif 000006
【図５】
2010283500.tif 000007